(57)【要約】【課題】この発明は、文字情報を含む映像と字幕との表示タイミングが一致した場合に、字幕の表示タイミングをずらすことにより、文字情報と字幕とが重なって表示されることを回避して、文字情報と字幕とをそれぞれ判読可能とした放送受信装置及び放送受信方法を提供することを目的としている。【解決手段】受信した放送信号から分離した映像信号及び字幕信号を、当該映像信号及び字幕信号にそれぞれ含まれる時刻情報で示される出力時刻に出力する出力手段（２６，２８）と、文字情報を含む映像信号が出力される出力時刻と字幕信号が出力される出力時刻とが一致している場合、字幕信号の出力時刻を予め設定された所定時間だけずらす制御手段（２２，３７〜３９）とを備える。【選択図】      図１
2009141893.tif 000002
【特許請求の範囲】
【請求項１】
放送信号を受信する受信手段と、
前記受信手段で受信された放送信号から映像信号及び字幕信号を分離する分離手段と、
前記分離手段で分離された映像信号を、当該映像信号に含まれる時刻情報で示される出力時刻に出力する映像出力手段と、
前記分離手段で分離された字幕信号を、当該字幕信号に含まれる時刻情報で示される出力時刻に出力する字幕出力手段と、
前記映像出力手段から文字情報を含む映像信号が出力される出力時刻と前記字幕出力手段から字幕信号が出力される出力時刻とが一致している場合、前記字幕出力手段から出力される字幕信号の出力時刻を、予め設定された所定時間だけずらす制御手段とを具備することを特徴とする放送受信装置。
【請求項２】
前記制御手段は、
前記分離手段で分離された映像信号に文字情報が含まれているか否かを検出し、文字情報の含まれていることが検出されたとき、当該文字情報の含まれた映像信号の出力時刻を出力する検出手段と、
前記検出手段から出力された文字情報を含む映像信号の出力時刻と、前記分離手段で分離された字幕信号の出力時刻とを比較し、両出力時刻が一致しているか否かを判別する比較手段と、
前記比較手段により両出力時刻が一致していることが判別されたとき、前記字幕信号の出力時刻に予め設定された所定時間分のオフセットを付加することにより、前記字幕出力手段から出力される字幕信号の出力時刻を予め設定された所定時間だけずらす修正手段とを具備することを特徴とする請求項１記載の放送受信装置。
【請求項３】
放送信号を受信する受信手段と、
前記受信手段で受信された放送信号から映像信号及び字幕信号を分離する分離手段と、
前記分離手段で分離された映像信号を、当該映像信号に含まれる時刻情報で示される出力時刻に出力する映像出力手段と、
前記分離手段で分離された字幕信号を、当該字幕信号に含まれる時刻情報で示される出力時刻に出力する字幕出力手段と、
前記映像出力手段から文字情報を含む映像信号が出力される出力時刻と前記字幕出力手段から字幕信号が出力される出力時刻とが一致している場合、前記字幕出力手段から出力される字幕信号を予め設定された所定の周期で間欠的に出力させるように制御する制御手段とを具備することを特徴とする放送受信装置。
【請求項４】
前記制御手段は、
前記分離手段で分離された映像信号に文字情報が含まれているか否かを検出し、文字情報の含まれていることが検出されたとき、当該文字情報の含まれた映像信号の出力時刻を出力する検出手段と、
前記検出手段から出力された文字情報を含む映像信号の出力時刻と、前記分離手段で分離された字幕信号の出力時刻とを比較し、両出力時刻が一致しているか否かを判別する比較手段と、
前記比較手段により両出力時刻が一致していることが判別されたとき、前記字幕出力手段から出力される字幕信号を予め設定された所定の周期で間欠的に出力させる字幕制御手段とを具備することを特徴とする請求項３記載の放送受信装置。
【請求項５】
放送信号を受信する工程と、
受信された放送信号から映像信号及び字幕信号を分離する工程と、
分離された映像信号を、当該映像信号に含まれる時刻情報で示される出力時刻に出力する工程と、
分離された字幕信号を、当該字幕信号に含まれる時刻情報で示される出力時刻に出力する工程と、
文字情報を含む映像信号が出力される出力時刻と字幕信号が出力される出力時刻とが一致している場合、字幕信号の出力時刻を予め設定された所定時間だけずらす工程とを具備することを特徴とする放送受信方法。
【請求項６】
放送信号を受信する工程と、
受信された放送信号から映像信号及び字幕信号を分離する工程と、
分離された映像信号を、当該映像信号に含まれる時刻情報で示される出力時刻に出力する工程と、
分離された字幕信号を、当該字幕信号に含まれる時刻情報で示される出力時刻に出力する工程と、
文字情報を含む映像信号が出力される出力時刻と字幕信号が出力される出力時刻とが一致している場合、字幕信号を予め設定された所定の周期で間欠的に出力させるように制御する工程とを具備することを特徴とする放送受信方法。
【発明の詳細な説明】
【技術分野】
【０００１】
この発明は、例えば地上デジタルテレビジョン放送等の受信に好適する放送受信装置及び放送受信方法に係り、特にその受信した字幕ストリームに基づく字幕表示を改良したものに関する。
【背景技術】
【０００２】
周知のように、近年では、テレビジョン放送のデジタル化が推進されてきている。例えば、日本国内においては、ＢＳ（broadcasting satellite）デジタル放送及び１１０度ＣＳ（communication satellite）デジタル放送等の衛星デジタル放送だけでなく、地上デジタル放送も開始されている。
【０００３】
そして、このようなデジタル放送を受信するデジタル放送受信装置にあっては、受信しＴＳ（transport stream）から映像ストリームと字幕ストリームとを取り出し、映像ストリームにデコード処理を施して生成された映像信号に、字幕ストリームにデコード処理を施して生成された字幕信号を重畳させて、映像表示に供させるようにしている。
【０００４】
ところで、この種のデジタル放送受信装置においては、映像ストリームが文字テロップ等の文字情報を含んでいるような場合、文字テロップを含む映像の表示タイミングと字幕の表示タイミングとが一致すると、文字テロップと字幕とが重なって表示されるため、字幕が文字テロップを隠してしまい文字テロップが読み難くなる。
【０００５】
特許文献１には、画面上にテロップ等の文字情報が既に表示されていることが検出された場合、字幕放送で表示される字幕の背景輝度レベル、背景色の色相、彩度レベル、画面上の表示位置のうち、少なくともいずれか１つを適応的に制御して、字幕放送用の文字を読み易くさせるようにすることが開示されている。
【特許文献１】特開２００１−３１３９１１号公報
【発明の開示】
【発明が解決しようとする課題】
【０００６】
そこで、この発明は上記事情を考慮してなされたもので、文字情報を含む映像と字幕との表示タイミングが一致した場合に、字幕の表示タイミングをずらすことにより、文字情報と字幕とが重なって表示されることを回避して、文字情報と字幕とをそれぞれ判読可能とした放送受信装置及び放送受信方法を提供することを目的とする。
【課題を解決するための手段】
【０００７】
すなわち、この発明に係る放送受信装置は、放送信号を受信する受信手段と、受信手段で受信された放送信号から映像信号及び字幕信号を分離する分離手段と、分離手段で分離された映像信号を、当該映像信号に含まれる時刻情報で示される出力時刻に出力する映像出力手段と、分離手段で分離された字幕信号を、当該字幕信号に含まれる時刻情報で示される出力時刻に出力する字幕出力手段と、映像出力手段から文字情報を含む映像信号が出力される出力時刻と字幕出力手段から字幕信号が出力される出力時刻とが一致している場合、字幕出力手段から出力される字幕信号の出力時刻を、予め設定された所定時間だけずらす制御手段とを備える。
【０００８】
また、この発明に係る放送受信方法は、放送信号を受信する工程と、受信された放送信号から映像信号及び字幕信号を分離する工程と、分離された映像信号を、当該映像信号に含まれる時刻情報で示される出力時刻に出力する工程と、分離された字幕信号を、当該字幕信号に含まれる時刻情報で示される出力時刻に出力する工程と、文字情報を含む映像信号が出力される出力時刻と字幕信号が出力される出力時刻とが一致している場合、字幕信号の出力時刻を予め設定された所定時間だけずらす工程とを備える。
【発明の効果】
【０００９】
上記した発明によれば、文字情報を含む映像信号が出力される出力時刻と字幕信号が出力される出力時刻とが一致している場合、字幕信号の出力時刻を予め設定された所定時間だけずらすようにしたので、文字情報と字幕とが重なって表示されることを回避し、文字情報と字幕とをそれぞれ判読可能とすることができる。
【発明を実施するための最良の形態】
【００１０】
以下、この発明の第１の実施の形態について図面を参照して詳細に説明する。図１は、この第１の実施の形態で説明するデジタル放送受信装置１１の信号処理系を示している。すなわち、アンテナ１２で受信したデジタル放送信号は、入力端子１３を介してデジタルチューナ１４に供給されることにより、所望のチャンネルに対応するＭＰＥＧ（moving picture experts group）２規格に準拠したＴＳ（transport stream）に復調される。
【００１１】
このデジタルチューナ１４から出力されるＴＳは、ＴＳ分離部１５に供給されて映像ＰＥＳ（packetized elementary stream）、音声ＰＥＳ及び字幕ＰＥＳに分離される。このうち、映像ＰＥＳは、映像ＰＴＳ（presentation time stamp）検出部１６に供給されて映像の出力時刻を示す時刻情報である映像ＰＴＳが検出され、映像デコーダ１７によりデコード処理が施された後、映像フレームバッファ１８に格納される。
【００１２】
また、上記ＴＳ分離部１５で分離された音声ＰＥＳは、音声ＰＴＳ検出部１９に供給されて音声の出力時刻を示す時刻情報である音声ＰＴＳが検出された後、音声バッファ２０に格納される。さらに、上記ＴＳ分離部１５で分離された字幕ＰＥＳは、字幕ＰＴＳ検出部２１に供給されて字幕の出力時刻を示す時刻情報である字幕ＰＴＳが検出された後、通常、図示の切替状態に制御されているスイッチ２２を介して字幕バッファ２３に格納される。
【００１３】
なお、上記ＴＳ分離部１５に供給されたＭＰＥＧ２−ＴＳは、ＰＣＲ（program clock reference）検出部２４に供給される。このＰＣＲ検出部２４は、入力されたＭＰＥＧ２−ＴＳからＰＣＲを抽出している。そして、このＰＣＲに基づいて、ＳＴＣ（system time clock）を生成する内部カウンタ２５が補正されることにより、放送局側の基準クロックに同期したクロックが生成されている。
【００１４】
ここで、上記映像フレームバッファ１８に格納されたデコード処理後の映像データは、映像出力部２６により読み出される。この場合、映像出力部２６は、上記映像ＰＴＳ検出部１６で検出された映像ＰＴＳと、上記内部カウンタ２５から出力されるクロックに基づいて生成された時刻情報とを比較し、映像ＰＴＳで示される時刻に、映像フレームバッファ１８から映像データを読み出して、合成処理部２７に出力している。
【００１５】
また、上記字幕バッファ２３に格納された字幕ＰＥＳは、字幕出力部２８により読み出される。この場合、字幕出力部２８は、上記字幕ＰＴＳ検出部２１で検出された字幕ＰＴＳと、上記内部カウンタ２５から出力されるクロックに基づいて生成された時刻情報とを比較し、字幕ＰＴＳで示される時刻に、字幕バッファ２８から字幕ＰＥＳを読み出して、字幕デコーダ２９に出力している。
【００１６】
この字幕デコーダ２９は、入力された字幕ＰＥＳにデコード処理を施し、デコード処理後の字幕データを上記合成処理部２７に出力している。そして、この合成処理部２７は、映像出力部２６から供給された映像データと、字幕デコーダ２９から供給された字幕データとを合成し、その合成データを、映像出力端子３０を介して映像表示部３１に供給し映像表示に供させている。
【００１７】
また、上記音声バッファ２０に格納された音声ＰＥＳは、音声出力部３２により読み出される。この場合、音声出力部３２は、上記音声ＰＴＳ検出部１９で検出された音声ＰＴＳと、上記内部カウンタ２５から出力されるクロックに基づいて生成された時刻情報とを比較し、音声ＰＴＳで示される時刻に、音声バッファ２０から音声ＰＥＳを読み出して、音声デコーダ３３に出力している。この音声デコーダ３３は、入力された音声ＰＥＳにデコード処理を施し、デコード処理後の音声データを、音声出力端子３４を介してスピーカ３５に供給し音声再生に供させている。
【００１８】
ここで、このデジタル放送受信装置１１は、上記した受信動作を含む種々の動作を制御部３６によって統括的に制御されている。この制御部３６は、ＣＰＵ（central processing unit）３６ａを内蔵しており、例えば、デジタル放送受信装置１１の本体に設置された操作部からの操作情報や、リモートコントローラから送信された操作情報を受けることによって、その操作内容が反映されるように各部をそれぞれ制御している。
【００１９】
この場合、制御部３６は、メモリ部３６ｂを利用している。このメモリ部３６ｂは、主として、ＣＰＵ３６ａが実行する制御プログラムを格納したＲＯＭ（read only memory）と、該ＣＰＵ３６ａに作業エリアを提供するためのＲＡＭ（random access memory）と、各種の設定情報及び制御情報等が格納される不揮発性メモリとを有している。
【００２０】
ここにおいて、上記映像フレームバッファ１８に格納されたデコード処理後の映像データは、文字情報検出部３７に供給されることにより、文字テロップ等の文字情報を含んでいるか否かをフレーム単位で検出される。そして、この文字情報検出部３７は、文字情報を含んだ映像フレームを検出した場合、映像ＰＴＳ検出部１６からその映像フレームの映像ＰＴＳを取得し、比較処理部３８に出力する。
【００２１】
この比較処理部３８は、上記文字情報検出部３７から供給された文字情報を含む映像フレームの映像ＰＴＳと、上記字幕ＰＴＳ検出部２１で検出された字幕ＰＴＳとを比較する。そして、この比較処理部３８は、両者が一致していない場合、上記スイッチ２２を図示の切替状態、つまり、ＴＳ分離部１５で分離された字幕ＰＥＳが字幕バッファ２３に供給される切替状態に制御している。
【００２２】
また、上記比較処理部３８は、文字情報検出部３７から供給された文字情報を含む映像フレームの映像ＰＴＳと、上記字幕ＰＴＳ検出部２１で検出された字幕ＰＴＳとが一致している場合、つまり、文字情報と字幕とが同時に表示される場合、上記スイッチ２２を図示と逆の切替状態、つまり、ＴＳ分離部１５で分離された字幕ＰＥＳが字幕ＰＴＳ修正部３９に供給される切替状態に制御している。
【００２３】
この字幕ＰＴＳ修正部３９は、入力された字幕ＰＥＳに含まれる字幕ＰＴＳに対して、予め設定された所定時間分のオフセットを付加するように修正を施している。そして、この字幕ＰＴＳ修正部３９は、修正済み字幕ＰＴＳを含む字幕ＰＥＳを上記字幕バッファ２３に格納させるとともに、上記字幕出力部２８に対して修正済み字幕ＰＴＳを出力している。
【００２４】
この修正済み字幕ＰＴＳが供給された場合、上記字幕出力部２８は、上記字幕ＰＴＳ検出部２１で検出された字幕ＰＴＳに無関係に、修正済み字幕ＰＴＳと上記内部カウンタ２５から出力されるクロックに基づいて生成された時刻情報とを比較し、修正済み字幕ＰＴＳで示される時刻に、字幕バッファ２８から字幕ＰＥＳを読み出して、字幕デコーダ２９に出力している。
【００２５】
すなわち、上記した第１の実施の形態によれば、文字情報を含む映像フレームの映像ＰＴＳと字幕ＰＴＳとが一致した場合に、字幕ＰＴＳに所定のオフセットを付加することによって、文字情報の表示タイミングよりも字幕の表示タイミングをオフセット分だけ遅らせるようにしたので、文字情報と字幕とが同時に重なって表示されることが回避され、文字情報と字幕とをそれぞれ判読可能とすることができる。なお、オフセットとしては、通常の字幕情報の表示時間よりもやや長い時間（例えば５秒程度）が選定される。
【００２６】
図２は、上記した第１の実施の形態におけるデジタル放送受信装置１１の主要な処理動作をまとめたフローチャートを示している。この処理は、ユーザによってデジタル放送の視聴が要求されることにより開始（ステップＳ１）される。すると、ステップＳ２で、デジタルチューナ１４により、受信されたデジタル放送信号からＭＰＥＧ２−ＴＳが復調され、ステップＳ３で、ＴＳ分離部１５により、映像ＰＥＳ、音声ＰＥＳ及び字幕ＰＥＳが分離される。
【００２７】
そして、ステップＳ４で、映像ＰＴＳ検出部１６により、映像ＰＥＳから映像ＰＴＳが検出され、ステップＳ５で、字幕ＰＴＳ検出部２１により、字幕ＰＥＳから字幕ＰＴＳが検出される。その後、ステップＳ６で、映像デコーダ１７により、映像ＰＥＳにデコード処理が施され、デコード処理後の映像データが映像フレームバッファ１８に格納される。さらに、ステップＳ７で、映像フレームバッファ１８に格納されたデコード処理後の映像データが文字情報検出部３７に供給される。
【００２８】
ここで、ステップＳ８で、文字情報検出部３７により文字情報が検出されたか否かが判別され、文字情報が検出されたと判断された場合（ＹＥＳ）、ステップＳ９で、比較処理部３８により、文字情報を含む映像フレームの映像ＰＴＳと字幕ＰＴＳとが比較され、ステップＳ１０で、両者が一致したか否かが判別される。そして、一致したと判断された場合（ＹＥＳ）、ステップＳ１１で、字幕ＰＴＳ修正部３９により、字幕ＰＥＳに含まれる字幕ＰＴＳにオフセットを付加する。
【００２９】
その後、ステップＳ１２で、映像ＰＴＳで示される時刻に映像フレームバッファ１８から読み出した映像データと、字幕ＰＴＳ（修正されている場合は修正済み字幕ＰＴＳ）で示される時刻に字幕バッファ２８から読み出した字幕ＰＥＳにデコード処理を施した字幕データとが合成処理部２７で合成され、映像表示部３１に供給されて映像表示されることにより、処理が終了（ステップＳ１３）される。
【００３０】
なお、上記ステップＳ８で文字情報が検出されていないと判断された場合（ＮＯ）、または、上記ステップＳ１０で文字情報を含む映像フレームの映像ＰＴＳと字幕ＰＴＳとが一致していないと判断された場合（ＮＯ）には、そのままステップＳ１２の処理に移行されることによって、映像ＰＴＳ及び字幕ＰＴＳで示される時刻に映像データ及び字幕データが出力され映像表示部３１により映像表示が行なわれる。
【００３１】
図３は、この発明の第２の実施の形態を示している。図３において、図１と同一部分に同一符号を付して説明すると、上記スイッチ２２及び字幕ＰＴＳ修正部３９を削除し、ＴＳ分離部１５で分離された字幕ＰＥＳを、字幕ＰＴＳ検出部２１で字幕ＰＴＳを検出した後、直接字幕バッファ２３に供給して格納している。また、字幕デコーダ２９から出力される字幕データは、上記比較処理部３８の出力で制御される字幕制御部４０を介して合成処理部２７に供給される。
【００３２】
そして、この字幕制御部４０は、上記比較処理部３８が、文字情報検出部３７から供給された文字情報を含む映像フレームの映像ＰＴＳと、上記字幕ＰＴＳ検出部２１で検出された字幕ＰＴＳとが一致したことを検出したとき、字幕デコーダ２９から出力される字幕データを、合成処理部２７に対して予め設定された所定の周期で間欠的に供給するように制御している。
【００３３】
これにより、上記映像表示部３１には、文字情報を含む映像と字幕とが同時に重なって表示されることになるが、字幕が表示と非表示とを所定の周期で交互に繰り返す点滅表示状態となるため、文字情報と字幕とをそれぞれ判読可能とすることができる。字幕の点滅周期としては、ユーザが文字情報を十分に認識することができる時間（例えば２秒程度）が選定される。なお、字幕は、その表示時間よりも非表示時間の方を長くした方が、文字情報が見易くなる。
【００３４】
図４は、上記した第２の実施の形態におけるデジタル放送受信装置１１の主要な処理動作をまとめたフローチャートを示している。図４において、図２と同一ステップには同一符号を付して説明すると、上記ステップＳ１０で文字情報を含む映像フレームの映像ＰＴＳと字幕ＰＴＳとが一致していると判断された場合（ＹＥＳ）、上記ステップＳ１１に代わるステップＳ１４で、字幕デコーダ２９から出力される字幕データを、予め設定された所定の周期で間欠的に合成処理部２７に供給するための動作状態、つまり、字幕を点滅させるための動作状態に字幕制御部４０を制御し、ステップＳ１２の処理に移行する。
【００３５】
ここで、上記した各実施の形態では、デジタル放送を受信して、文字情報を含む映像と字幕とが同時に表示される場合に、文字情報と字幕とをそれぞれ判読可能とすることについて説明したが、アナログ放送においても、文字情報を含む映像と字幕とがそれぞれ時刻情報を伴なって放送される形態であれば、この発明を適用して文字情報と字幕とをそれぞれ判読可能とすることができる。
【００３６】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００３７】
【図１】この発明の第１の実施の形態を示すもので、デジタル放送受信装置の信号処理系を説明するために示すブロック構成図。
【図２】同第１の実施の形態におけるデジタル放送受信装置が行なう主要な処理動作を説明するために示すフローチャート。
【図３】この発明の第２の実施の形態を示すもので、デジタル放送受信装置の信号処理系を説明するために示すブロック構成図。
【図４】同第２の実施の形態におけるデジタル放送受信装置が行なう主要な処理動作を説明するために示すフローチャート。
【符号の説明】
【００３８】
１１…デジタル放送受信装置、１２…アンテナ、１３…入力端子、１４…デジタルチューナ、１５…ＴＳ分離部、１６…映像ＰＴＳ検出部、１７…映像デコーダ、１８…映像フレームバッファ、１９…音声ＰＴＳ検出部、２０…音声バッファ、２１…字幕ＰＴＳ検出部、２２…スイッチ、２３…字幕バッファ、２４…ＰＣＲ検出部、２５…内部カウンタ、２６…映像出力部、２７…合成処理部、２８…字幕出力部、２９…字幕デコーダ、３０…映像出力端子、３１…映像表示部、３２…音声出力部、３３…音声デコーダ、３４…音声出力端子、３５…スピーカ、３６…制御部、３６ａ…ＣＰＵ、３６ｂ…メモリ部、３７…文字情報検出部、３８…比較処理部、３９…字幕ＰＴＳ修正部、４０…字幕制御部。
【図１】
2009141893.tif 000003
【図２】
2009141893.tif 000004
【図３】
2009141893.tif 000005
【図４】
2009141893.tif 000006